(57)【特許請求の範囲】
【請求項１】
それぞれが相互の同期を取るための同期情報を含むｎ（ｎ≧２）個の小オーバヘッドを有するオーバヘッド及び該オーバヘッドに続く情報データを含む通信フレームから相互に同時的に出力される小通信フレームを得るべく、前記通信フレームを前記小オーバヘッドの長さに基づいてｎ個の小通信フレームに分割する分離装置と、
それぞれが前記同期情報の配列に対応して予め決められ、各同期情報に対応する前記各小通信フレームを伝送するためのｎ本の伝送路と、
前記ｎ個の小通信フレームから前記通信フレームを復元すべく、前記ｎ本の伝送路を介して受信する前記各小通信フレーム中の前記小オーバヘッドの前記同期情報と、前記同期情報の配列および該配列に対応する前記伝送路の対応関係とに基づき、前記ｎ個の小通信フレームを多重化する多重化装置とを含むことを特徴とする逆多重伝送システム。
【請求項２】
前記分離装置は、前記通信フレームを前記小オーバヘッドの長さ毎に前記各伝送路に対応させて順次に振り分けることにより前記ｎ個の小通信フレームを得ることを特徴とする請求項１記載の逆多重伝送システム。
【請求項３】
前記分離装置及び多重化装置は、相互に対をなして接続されていることを特徴とする請求項１記載の逆多重伝送システム。
【請求項４】
前記通信フレームの前記各小通信フレームは、前記伝送路のそれぞれを経て並列的に伝送される請求項１記載の逆多重伝送システム。
【発明の詳細な説明】
【０００１】
【発明の属する技術分野】
本発明は、複数の伝送路を束ねて仮想的に一つの太い伝送路として利用する逆多重伝送システム（Inverse MUX：インバースマックス）に関する。
【０００２】
【従来の技術】
ITU-T（international Telecommunication Union - Telecommunication Sector）が勧告するSDH（Synchronous Digital Hierarchy）では、デジタル信号の伝送単位としてSTM（Synchronous Transport Module）フレームを規定する。このSTMフレームは、高速フレームが複数の低速フレームを含むという入れ子型の構成を有する。
【０００３】
このSTMフレームを用いた伝送システムにおいて、伝送速度が比較的大きな高速フレームをそれよりも伝送速度の小さい複数の低速フレームに分離して伝送し、この伝送された複数の低速フレームを多重化して元の高速フレームを再生する逆多重伝送システムの需要が存在する。例えば、このSTMフレームをアクセス系や短距離の伝送システムに適用する際には、高速大容量のシリアル伝送が可能な高速インタフェース部品が高価なため、安い部品でSTMフレームを伝送可能な逆多重伝送システムの適用が望まれている。また、STMフレームを長距離伝送システムに適用する際には、高速大容量のシリアル伝送には光ファイバの特性による伝送距離の制限があり、伝搬ロスが少なく比較的長距離伝送が可能な低速の伝送路を利用した、大容量のバルク伝送方式としての逆多重伝送システムの要求が存在する。
【０００４】
この逆多重伝送システムでは、分離装置は、高速フレームを複数の低速フレームに分離するとき、各低速フレームに元の高速フレームとの関係を示すラベル及び低速フレーム同士の関係を示すラベルを付与する。受信側の多重化装置は、低速フレームに付与されたこれらのラベルに従って、高速フレームを再生する。これにより、たとえ受信側の多重化装置による低速フレームの受信順序が、前記分離装置からの低速フレームの送信順序と異なっても、多重化装置は、受信した低速フレームを用いて高速フレームを忠実に再生することができる。
【０００５】
【発明が解決しようとする課題】
しかしながら、各低速フレームへのラベルの付与及びラベルに基づく複数の低速フレームからの高速フレームの再生は煩雑であることから、ラベルの付与およびその解読のための装置の構成が複雑化し、システム全体の構成が極めて複雑になると共に、低速フレームの生成および高速フレームの再生に多大な時間を要し、その結果、フレームの伝送の効率を悪化させるという問題があった。
【０００６】
【課題を解決するための手段】
上記の問題を解決するために、本発明は、例えばＩＴＵ−Ｔが勧告するＳＤＨで用いられるＳＴＭフレームのような、同期情報を含むｎ（ｎ≧２）個の小オーバヘッドを有するオーバヘッド及び該オーバヘッドに続く情報データを含む各通信フレームを備える既存のフレーム構造を利用するという基本構想に立脚する。
【０００７】
本発明に係る逆多重伝送システムは、それぞれが相互の同期を取るための同期情報を含むｎ（ｎ≧２）個の小オーバヘッドを有するオーバヘッド及び該オーバヘッドに続く情報データを含む通信フレームから相互に同時的に出力される小通信フレームを得るべく、前記通信フレームを前記小オーバヘッドの長さに基づいてｎ個の小通信フレームに分割する分離装置と、それぞれが前記同期情報の配列に対応して予め決められ、各同期情報に対応する前記各小通信フレームを伝送するためのｎ本の伝送路と、前記ｎ個の小通信フレームから前記通信フレームを復元すべく、前記ｎ本の伝送路を介して受信する前記各小通信フレーム中の前記小オーバヘッドの前記同期情報と、前記同期情報の配列および該配列に対応する前記伝送路の対応関係とに基づき、前記ｎ個の小通信フレームを多重化する多重化装置とを含むことを特徴とする。
【０００８】
本発明に係る前記逆多重伝送システムでは、分離装置は、相互の同期を取るための同期情報を含むｎ個の小オーバヘッドを有する通信フレームを小オーバヘッドの長さに基づいてｎ個の小通信フレームに分割し、前記同期情報の配列に対応して予め決められたｎ本の伝送路を介して互いに同時的に多重化装置へ送信する。また、多重化装置は、前記ｎ本の伝送路を介して受信する前記各小通信フレーム中の前記オーバヘッド中の前記小オーバヘッドの前記同期情報と、前記同期情報の配列及び該配列に対応する伝送路との対応関係とに基づき、前記小通信フレームを多重化する。
【０００９】
本発明に係る前記逆多重伝送システムによれば、前記したように、前記小オーバヘッドの前記同期情報を各小通信フレームに設け、また、前記同期情報の配列及び該配列に対応する伝送路との対応関係を予め決めることから、前記多重化装置は、前記同期情報の配列と配列に対応する伝送路との対応関係で動作することにより、従来のようなフレーム同士の間の対応関係を明確にするためのラベルの付与を行うことなく、前記同期情報によって前記通信フレームを再現することができる。
しかも、前記分離装置は、前記通信フレームを前記小オーバヘッドの長さに基づいてｎ個の小通信フレームに分割することから、分割のための処理が簡素化しかつ過不足なく各伝送路に対応して均等な長さの小通信フレームを分配することができ、従って、多重化装置は、各小通信フレームの前記した一定の分割単位に基づいて該小通信フレームを多重化することができる。
【００１０】
【発明の実施の形態】
図１は、本発明に係る逆多重伝送システムの構成を示す。この逆多重伝送システム１は、図１に示されているように、前段の装置（図示せず）から出力される高速フレームであって、４つの低速フレーム、例えばＩＴＵ−ＴのＳＤＨに規定されているＳＴＭ−４フレームを有する高速フレーム、例えばＳＴＭ−１６を含む現用光信号ＲＳから、伝送用低速フレーム５０Ａ〜５０Ｄを含む光信号λ１〜λ４を生成して受信側の多重化装置２０へ送信する送信側の分離装置１０と、分離装置１０から受信する光信号λ１〜λ４に含まれる伝送用低速フレーム５０Ａ〜５０Ｄから高速フレーム４０を含む現用光信号ＲＳを再生する多重化装置２０と、前記分離装置１０及び多重化装置２０をポイント・トゥ・ポイント、すなわち相互に対をなして１対１に直接接続するための５本の伝送路を有する伝送系３０とを含む。この逆多重伝送システム１は、また、光信号λ１〜λ４の予備用光信号λ５を用いて、光信号λ１〜λ５の経路に障害が発生したときに、障害が発生した経路で伝送すべきフレームを予備用光信号λ５を用いて伝送することにより、フレーム伝送を障害から救済する。
【００１１】
図２は、高速フレームを示す。通信フレームである図１に示す高速フレーム４０は、図２（Ａ）に示されているように、先頭に位置するオーバヘッド４１及び該オーバヘッドに続く情報データであるペイロード４２を備える。オーバヘッド４１は、前記した４つの伝送用低速フレーム５０Ａ〜５０Ｄ間での同期を取るための４つの小オーバヘッド「Ａ１」４３−１〜４３−４及びこれらに続く４つの小オーバヘッド「Ａ２」４３−５〜４３−８から構成される。これらの小オーバヘッド４３−１〜４３−８は、全体として、高速フレーム４０自身のフレーム同期を確立するためにも機能する。なお、この例では、各小オーバヘッド４３−１〜４３−８の長さは、１バイトである。
【００１２】
他方、ペイロード４２は、上記した４つの低速フレーム４４Ａ〜４４Ｄをこの順序で含み、各低速フレーム４４Ａ〜４４Ｄは、それぞれ、小オーバヘッド４３の長さの整数倍の長さ、すなわち１バイトの整数倍の長さを有する。これにより、ペイロード４２も同様に、小オーバヘッド４３の長さの整数倍の長さ、すなわち１バイトの整数倍の長さを有する。
【００１３】
図２（Ｂ）は、ペイロード４２が小オーバヘッド４３の長さと同様な長さ、すなわち１バイトの長さを有する複数のデータ「Ｄ１〜Ｄｍ」４７−１〜４７−ｍから仮想的に構成されていることを示す。この仮想的なデータ「Ｄ１〜Ｄｍ」４７−１〜４７−ｍは、後述されるように、分離装置１０の分離部１３により高速フレーム４０から伝送用低速フレーム５０を生成するときの高速フレーム４０の分割単位であり、また多重化装置２０の多重化部２６による伝送用低速フレーム５０から高速フレーム４０を生成するときの合成単位である。
【００１４】
図２（Ａ）を再び参照するに、前記したペイロード４２中の低速フレーム４４Ａ〜４４Ｄは、それぞれ、オーバヘッド４５及びペイロード４６から構成されている。オーバヘッド４５は、ペイロード４６に関する管理情報を含む。ペイロード４６は、分離装置１０から多重化装置２０へ伝送すべき情報を表すデータを含む。
【００１５】
図３は、伝送用低速フレームを示す。図１に示した伝送用低速フレーム５０Ａ〜５０Ｄは、図３に示されているように、それぞれ、同期用フラグ５１及びペイロード５２から構成されている。同期用フラグ５１は、図１に示した高速フレーム４０の小オーバヘッド「Ａ１」及び「Ａ２」４３から構成されており、ペイロード５２は、図２（Ｂ）に示したデータ「Ｄ１」〜「Ｄｍ」から構成されている。より詳しくは、例えば、伝送用低速フレーム５０Ａの同期用フラグ５１は、図２（Ａ）に示した小オーバヘッド「Ａ１」４３−１及び「Ａ２」４３−５を含み、前記伝送用低速フレーム５０Ａのペイロード５２は、図２（Ｂ）に示したデータ「Ｄ１」４７−１、「Ｄ５」４７−５、及び「Ｄ９」４７−９等を含む。
【００１６】
図１に戻り、分離装置１０は、図２（Ａ）の高速フレーム４０を含む現用光信号ＲＳを電気信号へ変換するＯ／Ｅ部１１と、該Ｏ／Ｅ部によって得られた電気信号で構成された高速フレーム４０のフレーム同期を確立する同期化部１２と、該同期化部によって同期化された高速フレーム４０を小オーバヘッド４３の長さ毎に、すなわち１バイト毎に分離することにより、４本の伝送用低速フレーム５０Ａ〜５０Ｄを生成する分離部１３と、該分離部によって生成された４本の伝送用低速フレーム５０Ａ〜５０Ｄ及び後述される予備用フレーム５０Ｅの合計５本のフレームを後述する制御部１５による制御の下で切り換える切換部１４と、該切換部による切り換えを制御する制御部１５とを含む。
さらに、前記分離装置１０は、前記切換部１４によって切り換えられた伝送用低速フレーム５０Ａ〜５０Ｄ及び予備用フレーム５０Ｅのうちの５つのフレームを電気信号から対応する光信号λ１〜λ５へ変換するＥ／Ｏ部１６と、前記Ｅ／Ｏ部１６によって得られた５つの光信号を波長多重し、伝送系３０を介して多重化装置２０へ送出する波長多重部１７と、現用光信号ＲＳを障害から救済するための予備用光信号ＰＳについてＯ／Ｅ部１１及び同期化部１２と同様に機能するＯ／Ｅ回路１８ａ及び同期化回路１８ｂを有する予備部１８とを含む。
【００１７】
多重化装置２０は、分離装置１０から受信する多重化された５つの光信号を波長分離する波長分離部２１と、該波長分離部によって波長分離された５つの光信号を電気信号に変換するＯ／Ｅ部２２と、該Ｏ／Ｅ部によって得られた電気信号の伝送用低速フレーム５０の切り換えを制御する制御部２３と、該制御部による制御の下で伝送用低速フレーム５０を切り換える切換部２４と、伝送用低速フレーム５０同士の遅延差を調整する調整部２５と、伝送用低速フレーム５０同士の同期を取り、前記した高速フレーム４０を再生する多重化部２６と、前記多重化部２６によって生成された高速フレーム４０のフレーム同期を確立する同期化部２７と、該同期化部によって同期化された電気信号の高速フレーム４０を光信号に変換するＥ／Ｏ部２８と、予備用光信号ＰＳについて同期化部２７及びＥ／Ｏ部２８と同様に機能する同期化回路２９ａ及びＥ／Ｏ部２９ｂを有する予備部２９とを含む。
【００１８】
伝送系３０は、例えば光ファイバーから構成され、上記したように５本の伝送路を含む。各伝送路は、光信号λ１〜λ５を伝送すべく、図２（Ａ）の高速フレーム４０の小オーバヘッド４３の配列に対応して設けられている。より具体的には、例えば、光信号λ１を伝送するための伝送路は、図２（Ａ）の高速フレーム４０の小オーバヘッド「Ａ１」４３−１及び「Ａ２」４３−５に対応して設けられている。また、光信号λ５は、予備用信号のための伝送路を使用する。
【００１９】
具体例の逆多重伝送システム１の動作について説明する。前段の装置（図示せず）から出力された図２（Ａ）に示す高速フレーム４０を含む現用光信号ＲＳは、Ｏ／Ｅ部１１に入力される。現用光信号ＲＳは、Ｏ／Ｅ部１１で電気信号の高速フレーム４０へ変換される。Ｏ／Ｅ部１１で電気信号に変換されると、高速フレーム４０は、同期化部１２へ出力される。高速フレーム４０は、同期化部１２で図２（Ａ）に示すオーバヘッド４１に基づくフレーム同期を確立され、分離部１３へ出力される。
【００２０】
分離部１３は、入力された高速フレーム４０を小オーバヘッド４３の長さ毎に、小オーバヘッド４３の配列に従って、すなわち、伝送系３０の予備用伝送路を除く４つの伝送路のそれぞれに、それらの所定の順番に従って分配することにより、図３に示す４本の伝送用低速フレーム５０Ａ〜５０Ｄを生成する。具体的には、分離部１３は、高速フレーム４０の最初の小オーバヘッド「Ａ１」４３−１を伝送用低速フレーム５０Ａの同期用フラグ５１の一部として分配し、次の小オーバヘッド「Ａ１」４３−２を伝送用低速フレーム５０Ｂの同期用フラグ５１の一部として分配し、次の小オーバヘッド「Ａ１」４３−３を伝送用低速フレーム５０Ｃの同期用フラグ５１の一部として分配し、次の小オーバヘッド「Ａ１」４３−３を伝送用低速フレーム５０Ｄの同期用フラグ５１の一部として分配する。
【００２１】
このようにして、予備系のフレームを除く４つの伝送用低速フレーム５０Ａ〜５０Ｄに小オーバヘッド「Ａ１」４３−１〜４３−４が割り当てられると、分離部１３は、さらに、高速フレーム４０の次の小オーバヘッド「Ａ２」４３−５を伝送用低速フレーム５０Ａの同期用フラグ５１中の前記した小オーバヘッド「Ａ１」４３−１の後に分配し、次の小オーバヘッド「Ａ２」４３−６を伝送用低速フレーム５０Ｂの同期用フラグ５１中の前記した小オーバヘッド「Ａ１」４３−２の後に分配し、次の小オーバヘッド「Ａ２」４３−７を伝送用低速フレーム５０Ｃの同期用フラグ５１中の前記した小オーバヘッド「Ａ１」４３−３の後に分配し、最後の小オーバヘッド「Ａ２」４３−８を伝送用低速フレーム５０Ｄの同期用フラグ５１中の前記した小オーバヘッド「Ａ１」４３−４の後に分配する。このようにして、分離部１３は、伝送用低速フレーム５０Ａ〜５０Ｄのそれぞれの同期用フラグ５１を作成する。
【００２２】
伝送用低速フレーム５０Ａ〜５０Ｄの同期用フラグ５１の作成を終えると、引き続き、分離部１３は、高速フレーム４０のペイロード４２を、小オーバヘッド４３の長さ単位で、すなわち、図２（Ｂ）に示した仮想的なデータ毎に前記４つの伝送路のそれぞれに対応して分離する。具体的には、分離部１３は、ペイロード４２の１バイト目のデータ「Ｄ１」４７−１を伝送用低速フレーム５０Ａのペイロード５２の先頭として分配し、前記データ「Ｄ１」４７−１に続く２バイト目のデータ「Ｄ２」４７−２を伝送用低速フレーム５０Ｂのペイロード５２の先頭として分配し、前記データ「Ｄ２」４７−２に続く３バイト目のデータ「Ｄ３」４７−３を伝送用低速フレーム５０Ｃのペイロード５２の先頭として分配し、データ「Ｄ３」４７−３に続く４バイト目のデータ「Ｄ４」４７−４を伝送用低速フレーム５０Ｄのペイロード５２の先頭として分配する。
【００２３】
分離部１３は、さらに、データ「Ｄ４」４７−４に続く５バイト目のデータ「Ｄ５」４７−５を伝送用低速フレーム５０Ａのペイロード５２中のデータ「Ｄ１」４７−１の後に分配し、データ「Ｄ５」４７−５に続く６バイト目のデータ「Ｄ６」４７−６を伝送用低速フレーム５０Ｂのペイロード５２のデータ「Ｄ２」４７−２の後に分配する。以後、分離部１３は、同様な分配の繰り返しにより、伝送用低速フレーム５０Ａ〜５０Ｄを完成する。４本の伝送用低速フレーム５０Ａ〜５０Ｄが作成されると、それらの伝送用低速フレーム５０Ａ〜５０Ｄは、切換部１４に供給される。
【００２４】
他方、予備用光信号ＰＳも現用光信号ＲＳと同様に、予備部１８で電気信号に変換され、フレーム同期を確立された後、予備用フレーム５０Ｅが生成され、切換部１４に供給される。
【００２５】
分離部１３からの４本の伝送用低速フレーム５０Ａ〜５０Ｄ及び予備部１８からの予備用フレーム５０Ｅは、切換部１４でフレームの伝送状態、すなわちフレーム伝送の品質の良否に応じた制御部１５による制御の下で切り換えられる。より具体的には、制御部１５は、分離装置１０及び多重化装置２０から構成される回線系（以下、「上り回線系」という。）の伝送方向と逆方向の回線系（以下、「下り回線系」という。）、すなわち多重化装置２０の設置局に設けられた分離装置（図示せず）及び分離装置１０の設置局に設けられた多重化装置（図示せず）から構成される下り回線系から得られる上り回線系の状態についての情報に基づき、４本の伝送用低速フレーム５０Ａ〜５０Ｄの伝送品質の良否を判断する。制御部１５は、それら４本の伝送用低速フレーム５０Ａ〜５０Ｄのいずれかが不良であるときには、その不良である伝送用低速フレームを用いずに、その代わりに予備用フレーム５０Ｅを用いる。例えば、伝送用低速フレーム５０Ａの伝送状態が不良であるときには、伝送用低速フレーム５０Ａに含まれる伝送すべき情報は、予備用フレーム５０Ｅを用いて伝送される。
【００２６】
切換部１４でフレームの伝送状態に応じたフレーム切換が行われると、Ｅ／Ｏ部１６で伝送用低速フレーム５０Ａ〜５０Ｄ及び予備用フレーム５０Ｅのうち切換部１４で選択されたフレームを含みかつ各フレームに対応する光信号λ１〜λ５のうちの４つの光信号が生成され、生成された光信号は、波長多重部１７へ出力される。生成された光信号は、波長多重部１７で波長多重される。波長多重された光信号は、伝送系３０の各伝送路を介して多重化装置２０へ同時的に並列に送出される。例えば、伝送用低速フレーム５０Ａは、対応する光信号λ１を伝送するための伝送路を介して多重化装置２０へ送出される。以下、伝送用低速フレーム５０Ａ〜５０Ｄに対応する光信号λ１〜λ４が多重化されて伝送されることを想定する。
【００２７】
多重化装置２０へ並列的かつ同時的に伝送されると、光信号λ１〜λ４は、波長分離部２１で波長分離されることにより、光信号λ１〜λ４のそれぞれに分離され、Ｏ／Ｅ部２２へ出力される。分離された光信号λ１〜λ４は、Ｏ／Ｅ部２２で電気信号の伝送用低速フレーム５０Ａ〜５０Ｄにそれぞれ変換され、それらの伝送用低速フレーム５０Ａ〜５０Ｄは、制御部２３へ出力される。制御部２３で、それらの伝送用低速フレーム５０Ａ〜５０Ｄは、フレーム切換のための処理、例えば、ＢＥＲ（Bit Error Rate）の算出、誤りの検出・訂正が行われる。
【００２８】
制御部２３でフレーム切換のための処理が行われた後、伝送用低速フレーム５０Ａ〜５０Ｄは、切換部２４で、分離装置１０内の切換部１４のフレーム切換に対応するフレーム切換を受ける。切換部２４でフレーム切換を受けた後、伝送用低速フレーム５０Ａ〜５０Ｄは、調整部２５で、図２（Ａ）の同期用フラグ５１に基づき伝送用低速フレーム５０Ａ〜５０Ｄ同士の遅延差を調整され、これにより、前記フレーム５０Ａ〜５０Ｄは、相互の位相合わせを受ける。
【００２９】
調整部２５での位相調整を終えると、伝送用低速フレーム５０Ａ〜５０Ｄは、多重化部２６に出力される。多重化部２６は、それらのフレーム５０Ａ〜５０Ｄを、図２（Ａ）に示した同期用フラグ５１に基づき互いの間で同期化した後、図２（Ａ）に示した小オーバヘッド４３の長さ単位で伝送系３０の伝送路の前記した所定の順番に抽出することにより、高速フレーム４０を再生する。
【００３０】
より詳しくは、多重化部２６は、まず、伝送用低速フレーム５０Ａの１バイト目である小オーバヘッド「Ａ１」４３−１を抽出し、次に、伝送用低速フレーム５０Ｂの１バイト目である小オーバヘッド「Ａ１」４３−２を抽出して前記小オーバヘッド「Ａ１」４３−１の後に並べ、次に、伝送用低速フレーム５０Ｃの１バイト目である小オーバヘッド「Ａ１」４３−３を抽出して前記小オーバヘッド「Ａ１」４３−２の後に並べ、さらに、伝送用低速フレーム５０Ｄの１バイト目である小オーバヘッド「Ａ１」４３−４を抽出して前記小オーバヘッド「Ａ１」４３−３の後に並べる。
【００３１】
多重化部２６は、伝送用低速フレーム５０Ａ〜５０Ｄの同期用フラグ５１の１バイト目である小オーバヘッド「Ａ１」についての抽出を完了すると、次に、伝送用低速フレーム５０Ａ〜５０Ｄの２バイト目である小オーバヘッド「Ａ２」４３−５〜４３−８を処理する。すなわち、多重化部２６は、伝送用低速フレーム５０Ａの２バイト目である小オーバヘッド「Ａ２」４３−５を抽出して前記した伝送用低速フレーム５０Ｄの２バイト目である小オーバヘッド「Ａ１」４３−４の後に並べ、次に、伝送用低速フレーム５０Ｂの２バイト目である小オーバヘッド「Ａ２」４３−６を抽出して前記小オーバヘッド「Ａ２」４３−５の後に並べ、以後、同様な抽出及び整列を繰り返すことにより、図２（Ａ）の高速フレーム４０のオーバヘッド４１を再生する。
【００３２】
多重化部２６は、さらに、伝送用低速フレーム５０Ａの３バイト目であるデータ「Ｄ１」４７−１を抽出して前記伝送用低速フレーム５０Ｄの２バイト目である小オーバヘッド「Ａ２」４３−８の後に並べ、次に、伝送用低速フレーム５０Ｂの３バイト目のデータ「Ｄ２」４７−２を抽出して前記したデータ「Ｄ１」４７−１の後に並べる。このような抽出及び整列の繰り返しにより、図２（Ａ）に示された高速フレーム４０のペイロード４２を作成し、その結果、図２（Ａ）に示された高速フレーム４０の再生が完了する。
【００３３】
多重化部２６で再生された高速フレーム４０は、同期化部２７へ出力される。同期化部２７で、高速フレーム４０は、フレーム同期が確立された後に、Ｅ／Ｏ部２８へ出力される。Ｅ／Ｏ部２８で、高速フレーム４０を含む光信号ＲＳが生成され、後段の装置へ出力される。
【００３４】
具体例の逆多重伝送システムでは、上述したように、分離装置１０が、高速フレーム４０を、該高速フレーム４０のオーバヘッド４１を構成し同期確立のために機能する小オーバヘッド４３の長さ単位で分離することにより、該小オーバヘッド４３を同期用フラグ５１として含む伝送用低速フレーム５０Ａ〜５０Ｄを生成し、その後、該小オーバヘッド４３の配列に対応して順序付けられた伝送系３０の伝送路を介して多重化装置２０へ送出する。
多重化装置２０は、前記した伝送用低速フレーム５０Ａ〜５０Ｄを受信すると、それらのフレーム５０Ａ〜５０Ｄの同期用フラグ５１に基づきフレーム間で同期を確立した後、各フレーム５０Ａ〜５０Ｄから前記小オーバヘッド４３の長さ単位でかつ前記伝送路の順序で小オーバヘッド４３及びデータ４７を抽出し、それらを連続して並べることにより、前記した高速フレーム４０を再生する。
したがって、従来のような各低速フレームへの元の高速フレームとの関係および低速フレーム同士の関係を示す複雑なラベルの付与及び該ラベルに基づくフレームの再生という複雑な処理を行う必要がないことから、従来に比してフレーム伝送を効率化することが可能になる。
【００３５】
前記したところでは、本発明を、ＩＴＵ−Ｔが勧告するＳＤＨで用いられるＳＴＭフレームを用いた例に沿って説明したが、これに限らず、本発明は、種々の通信規格のフレームに適用することができる。
【００３６】
【発明の効果】
本発明に係る逆多重伝送システムによれば、前記したように、前記多重化装置を予め決められた前記同期情報の配列と配列に対応する伝送路との対応関係で動作させることにより、従来のようなフレーム同士の間の対応関係を明確にするためのラベルの付与を行うことなく、前記同期情報によって前記通信フレームを再現することができ、しかも、前記分離装置は、分割のための処理が簡素化しかつ過不足なく各伝送路に対応して均等な長さの小通信フレームを分配し、また多重化装置は、各小通信フレームの前記した一定の分割単位に基づいて該小通信フレームを多重化することができる。
したがって、従来に比較して分離装置及び多重化装置の構成を簡易にすることができ、また、分離装置での小通信フレームの生成及び多重化装置での通信フレームの再生のための時間を短縮することができ、その結果、フレーム伝送を効率化することができる。
【図面の簡単な説明】
【図１】具体例の逆多重伝送システムの構成を示す図である。
【図２】高速フレームを示す図である。
【図３】伝送用低速フレームを示す図である。
【符号の説明】
１０  分離装置
１１，２２  Ｏ／Ｅ部
１２，２７  同期化部
１３  分離部
１４，２４  切換部
１５，２３  制御部
１６，２８  Ｅ／Ｏ部
１７  波長多重部
１８，２９  予備部
２０  多重化装置
２１  波長分離部
２５  調整部
２６  多重化部
３０  伝送系
【図１】
0004135312.tif 000002
【図２】
0004135312.tif 000003
【図３】
0004135312.tif 000004